(57)【特許請求の範囲】
【請求項１】
回転することで風を正面側に送り出すファン部と、
前記ファン部の背面側に設けられ、前記ファン部のファン用回転軸部に連結される第１モータ部を収納する第１ハウジング部と、
前記第１ハウジング部の背面側の凸部が嵌合される凹部を有し、前記第１ハウジング部を回転させるためのハウジング用回転軸部に連結される第２モータ部を収納する第２ハウジング部と、
前記凹部に対する前記凸部の位置を変更可能な機構を有し、前記ファン用回転軸部と前記ハウジング用回転軸部とがなす角度が１８０±α°の範囲内で角度を調整可能な第１角度調整部と、
を備えることを特徴とする扇風機。
【請求項２】
請求項１に記載の扇風機において、
台座部と、
前記台座部から上方に向けて伸び、前記第２ハウジング部を支持可能な支柱軸部と、
前記ハウジング用回転軸部と前記支柱軸部とがなす角度が９０±β°の範囲内で角度を調整可能な第２角度調整部と、
を備えることを特徴とする扇風機。
【請求項３】
請求項１または請求項２に記載の扇風機において、
前記第１角度調整部は、
前記第１ハウジング部の背面側に設けられる案内長孔部に案内される案内部と、前記第１ハウジング部の背面側に前記案内長孔部の長手方向に沿って並んで設けられる複数の嵌合孔に嵌合可能な突起部と含むスライド部を有することを特徴とする扇風機。
【発明の詳細な説明】
【技術分野】
【０００１】
本発明は、扇風機に関する。
【背景技術】
【０００２】
従来、様々な扇風機が開発されている。本発明に関連する技術として、例えば、特許文献１には、前端に貫通孔を設け、内部の対称となる側面端それぞれに二つの定位部材を設け、内部の後端面には連結部材を設ける主外殻と、主外殻内部に配置し、中空状の枢着回転フレームを設け、両側には定位部材に組み合わせて垂直に軸回転する枢着棒を備え、また、上下両端の対応位置にはそれぞれ枢着孔を配置する枢着回転部材と、主外殻内部に配置し、貫通孔から主外殻外部へ外方向に延伸する第一回転軸を備え、枢着回転部材の上下両端には対応する連結棒を備え、連結棒は前記枢着孔内に定位して水平の軸回転をする第一駆動モータと、主外殻内部に配置し、第一駆動モータの背面及び主外殻の後端面の間に取り付け、第一端によって第二端を偏心回転させ、第二端は主外殻後壁の連結部材に取り付ける揺動機構と、主外殻外部に配置し、第一駆動モータの第一回転軸と連結固定する回転羽根とにより構成されることを特徴とする隠蔽式３６０度回転機構を備える扇風機が開示されている。
【０００３】
また、特許文献２には、電気扇風機構造であって、ファンヘッド、ファンヘッドをサポートするサポートポール、及びサポートポールと連接するサポートフレームを有し、サポートポールには、結合台を設置し、結合台の中央には、軸孔を有し、相対する両側面には、嵌入槽をそれぞれ陥没状に有し、嵌入槽の槽壁には、嵌入口及び少なくとも１個の制御口をそれぞれ陥没状に設置し、サポートフレーム頂端両側には、上方へと延伸する結合翼をそれぞれ設置し、２個の結合翼は、嵌入口を経由し、対応する嵌入槽内に径方向に嵌入され、結合翼は、軸孔位置に対応し、穿孔を有し、制御口位置に対応し、制御板を突出状に設置し、制御口内に進入し、２個の結合翼により、嵌入口から径方向へと嵌入槽内に嵌入し、これにより制御板は制御口内に進入し、続いて、固定軸により穿孔、軸孔を通過後、固定し、こうしてファンヘッドのサポートポールとサポートフレームとを結合することを特徴とする電気扇風機構造が開示されている。
【先行技術文献】
【特許文献】
【０００４】
【特許文献１】特開２０１１−６４１９９号公報
【特許文献２】実用新案登録第３２１５０４９号公報
【発明の概要】
【発明が解決しようとする課題】
【０００５】
近年の温暖化に伴い、扇風機はエアコンと併用されることが多く、エアコンの冷気を拡散することで部屋の温度のムラを無くすために使用されているが、従来の扇風機は可動領域が狭く、風が行き渡らない場所も存在するため、部屋の温度のムラが残るという課題がある。
【０００６】
本発明の目的は、可動領域の広い扇風機を提供することである。
【課題を解決するための手段】
【０００７】
本発明に係る扇風機は、回転することで風を正面側に送り出すファン部と、前記ファン部の背面側に設けられ、前記ファン部のファン用回転軸部に連結される第１モータ部を収納する第１ハウジング部と、前記第１ハウジング部の背面側の凸部が嵌合される凹部を有し、前記第１ハウジング部を回転させるためのハウジング用回転軸部に連結される第２モータ部を収納する第２ハウジング部と、前記凹部に対する前記凸部の位置を変更可能な機構を有し、前記ファン用回転軸部と前記ハウジング用回転軸部とがなす角度が１８０±α°の範囲内で角度を調整可能な第１角度調整部と、を備えることを特徴とする。
【０００８】
また、本発明に係る扇風機において、台座部と、前記台座部から上方に向けて伸び、前記第２ハウジング部を支持可能な支柱軸部と、前記ハウジング用回転軸部と前記支柱軸部とがなす角度が９０±β°の範囲内で角度を調整可能な第２角度調整部と、を備えることが好ましい。
【０００９】
また、本発明に係る扇風機において、前記第１角度調整部は、前記第１ハウジング部の背面側に設けられる案内長孔部に案内される案内部と、前記第１ハウジング部の背面側に前記案内長孔部の長手方向に沿って並んで設けられる複数の嵌合孔に嵌合可能な突起部と含むスライド部を有することが好ましい。
【発明の効果】
【００１０】
本発明によれば、扇風機の可動領域を広げることが出来る。
【図面の簡単な説明】
【００１１】
【図１】本発明に係る実施形態の扇風機を示す図である。
【図２】本発明に係る実施形態の扇風機において、第１ハウジング部と第２ハウジング部の凹部との嵌合部の拡大斜視図である。
【図３】本発明に係る実施形態の扇風機において、第１角度調整部の角度を変えた場合の様子を示す側面図である。
【図４】本発明に係る実施形態の扇風機において、第１角度調整部の角度θ１を３０°とし、第２角度調整部の角度θ２を３０°とした場合の扇風機の側面図であり、第１ハウジング部１４を回転させた場合の様子を示す図である。
【図５】本発明に係る実施形態の扇風機において、第１角度調整部の角度θ１を３０°とし、第２角度調整部の角度θ２を５０°とした場合の扇風機の側面図であり、第１ハウジング部１４を回転させた場合の様子を示す図である。
【図６】本発明に係る実施形態の扇風機において、第１角度調整部の角度θ１を３０°とし、第２角度調整部の角度θ２を７０°とした場合の扇風機の側面図であり、第１ハウジング部１４を回転させた場合の様子を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、本発明に係る実施形態の扇風機１０を示す図である。図１（ａ）は、扇風機１０の断面図であり、図１（ｂ）は、扇風機１０のファン部１２付近の拡大図であり、図１（ｃ）は、扇風機１０の第２ハウジング部２２付近の斜視図であり、図１（ｄ）は、扇風機１０の第２ハウジング部２２付近の側面図である。
【００１４】
図２は、扇風機１０において、第１ハウジング部１４の背面側の凸部１４ａと第２ハウジング部２２の凹部１７との嵌合部分の拡大斜視図である。
【００１５】
扇風機１０は、ファン部１２と、第１ハウジング部１４と、第２ハウジング部２２と、第１角度調整部３４と、第２角度調整部１９と、台座部２６と、支柱軸部２４とを備えている。
【００１６】
ファン部１２は、回転することで風を正面側に送り出す羽根部材を含み、第１モータ部２０のファン用回転軸部２０ａを軸として旋回しながら直線的に風を流す機能を有している。ファン部１２の回転方向は、右回転であるものとして説明するが、もちろん、左回転に設定してもよい。
【００１７】
ファン部１２は、ファン用回転軸部２０ａを中心に放射状に複数枚の羽根が伸びるように設けられている。複数枚の枚数として、例えば、３枚、５枚、７枚、９枚などの奇数枚が多いが、もちろん、偶数枚で構成してもよい。
【００１８】
カバー部１８は、回転するファン部１２を正面側及び背面側を覆うように設けられる保護部材である。カバー部１８は、正面側と背面側で分離可能であり、図１に示されるように一体化させたときに略円柱形状を構成する部材である。
【００１９】
第１モータ部２０は、第１ハウジング部１４に収納されて、ファン部１２の中心部に位置するファン用回転軸部２０ａに連結される電動機を含んで構成されている。
【００２０】
第１ハウジング部１４は、ファン部１２の背面側において、ファン部１２のファン用回転軸部２０ａに連結される第１モータ部２０を収納する。第１ハウジング部１４は、ドーム状のケースであり、ドーム状の天井部に第２ハウジング部２２の凹部１７と嵌合する凸部１４ａが形成されている。第１ハウジング部１４は、ハウジング用回転軸部１６ａに連結され、第２モータ部１６から伝達される回転力により回転する。
【００２１】
第１角度調整部３４は、凹部１７に対する第１ハウジング部１４の背面側の凸部１４ａの位置を変更するための機構を有し、ファン用回転軸部２０ａとハウジング用回転軸部１６ａとがなす角度が１８０±α°の範囲内で可動するように角度θ１を調整する機能を有する。
【００２２】
ここで、ファン用回転軸部２０ａとハウジング用回転軸部１６ａとのなす角度が１８０°のときが基準となる角度θ１＝０°であるため、角度θ１は０°±αの範囲内で変化する。
【００２３】
第１角度調整部３４は、案内部３３と、突起部３５とを含むスライド部３７を有して構成される。スライド部３７は、図２に示されるように、横長の板のような形状を有し、ドーム状の天井部に沿った曲面を有している。
【００２４】
案内部３３は、図２に示されるように第１ハウジング部１４の背面側に２列に分けて設けられる案内長孔部３０に案内される突出部材である。案内長孔部３０は、スライド部３７の両端部に沿って形成されている。
【００２５】
突起部３５は、図２に示されるように第１ハウジング部１４の背面側に案内長孔部３０の長手方向に沿って並んで設けられる複数の嵌合孔３２に嵌合可能な凸部材である。２列の案内長孔部３０は、図２に示されるように、スライド部３７の中央部に形成されている。
【００２６】
台座部２６は、扇風機１０を床面などに配置するための基台であり、略円柱形状を有している。台座部２６の上面には、扇風機１０の電源操作部、風量操作部、タイマー操作部などの操作釦などが配置されている。
【００２７】
支柱軸部２４は、台座部２６から上方に向けて伸び、第２ハウジング部２２を支持可能な部材である。支柱軸部２４は、図１に示されるように、台座部２６の上面に垂直となるように延伸する棒状の部材である。支柱軸部２４は、２つの支柱部が入れ子状に設けられており、２つの支柱部の挿入量を変えることで高さを調整することができる。支柱軸部２４の上端部には、斜め方向に延びる傾斜部２３が装着されている。
【００２８】
第２ハウジング部２２は、第１ハウジング部１４の背面側の凸部１４ａが嵌合される凹部１７を有し、第１ハウジング部１４を回転させるためのハウジング用回転軸部１６ａに連結される第２モータ部１６を収納する。
【００２９】
第２モータ部１６は、１８０°回転（半回転）するたびに反転（回転方向が逆方向に変わる）する電動機であるギアードモータを含んで構成される。第２モータ部１６の回転軸であるハウジング用回転軸部１６ａの回転力により第１ハウジング部１４を回転させるように連結されている。これにより、図２の例で示すと、矢印Ａ方向と矢印Ｂ方向に第１ハウジング１４が交互に回転するように動作する。
【００３０】
第２ハウジング部２２の正面側には凹部１７が設けられている。凹部１７は、ドーム状の凸部１４ａの外形に沿った窪みを有している。凹部１７は、図１，２に示されるように第１ハウジング部１４の背面側に設けられている。
【００３１】
第２ハウジング部２２は、図１（ｃ）（ｄ）に示されるように、支柱軸部２４の上部に配置される傾斜部２３の略Ｕ字部材の架設されるように設けられており、第２角度調整部１９によって連結されている。
【００３２】
第２角度調整部１９は、ハウジング用回転軸部１６ａと支柱軸部２４とがなす角度が９０±β°の範囲内で可動するように角度θ２を調整する機能を有する螺子部材を含んで構成される。ここで、ハウジング用回転軸部１６ａと支柱軸部２４とのなす角度が９０°のときが基準となる角度θ２＝０°であるため、角度θ２は０°±βの範囲内で変化する。
【００３３】
第２角度調整部１９は、螺子部材を締め付けると角度θ２が固定され、反対に螺子部材を緩めると角度θ２を調整可能な状態となる。
【００３４】
続いて、上記構成の扇風機１０の作用について説明する。扇風機１０は、図１（ｂ）に示されるように、第１角度調整部３４では、ファン用回転軸部２０ａとハウジング用回転軸部１６ａとがなす角度、すなわち、角度θ１を０°±αの範囲内で調整することが出来る。
【００３５】
また、図１（ａ）に示されるように、第２角度調整部１９によれば、ハウジング用回転軸部１６ａと支柱軸部２４とがなす角度、すなわち、角度θ２を０°±βの範囲内で調整することが出来る。
【００３６】
扇風機１０によれば、第１角度調整部３４と第２角度調整部１９の２段階の調整機構を備えているため、多様な角度調整をすることができて可動領域を広めることが出来る。以下、図３〜図６の図面を用いて、扇風機１０の可動領域の広さについて説明する。
【００３７】
図３は、扇風機１０において、第１角度調整部３４の角度を変えた場合の様子を示す側面図である。図３（ａ）は、第１角度調整部３４の角度θ１を０°とし、第２角度調整部１９の角度θ２を０°とした場合のファン部１２周辺の側面図である。図３（ｂ）は、第１角度調整部３４の角度θ１を３０°とし、第２角度調整部１９の角度θ２を０°とした場合のファン部１２周辺の側面図である。
【００３８】
図３（ａ）の場合は、第１角度調整部３４の角度θ１が０°であり、すなわち、ファン用回転軸部２０ａとハウジング用回転軸部１６ａとがなす角度が１８０°であるため、第２モータ部１６が作動して第１ハウジング部１４が回転した場合であっても、ファン部１２の風を送る方向に変更はない。
【００３９】
これに対し、図３（ｂ）の場合は、第１角度調整部３４の角度θ１を３０°とされており、傾斜した状態が保持されているため、このまま第２モータ部１６が作動して第１ハウジング部１４が回転すると、３０°傾斜されたファン部１２のまま上下左右の３６０°に風を送ることが出来る。これにより、送風する領域を広めることが出来る。
【００４０】
図４は、扇風機１０において、第１角度調整部３４の角度θ１を３０°とし、第２角度調整部１９の角度θ２を３０°とした場合の扇風機１０の側面図であり、第１ハウジング部１４を回転させた場合の様子を図４（ａ）（ｂ）（ｃ）に示している。
【００４１】
図４の例では、図３（ｂ）の状態から第２角度調整部１９の角度θ２を３０°にすることにより、斜め上方を向くようにする。これにより、図３よりも上方側の広範囲な領域に風を送ることが出来る。
【００４２】
図５は、扇風機１０において、第１角度調整部３４の角度θ１を３０°とし、第２角度調整部１９の角度θ２を５０°とした場合の扇風機１０の側面図であり、第１ハウジング部１４を回転させた場合の様子を図５（ａ）（ｂ）（ｃ）に示している。
【００４３】
図５の例では、図４の状態から第２角度調整部１９の角度θ２をさらに２０°大きくした５０°に設定することにより、図４よりもさらに上方側の広範囲な領域に風を送ることが出来る。
【００４４】
図６は、扇風機１０において、第１角度調整部３４の角度θ１を３０°とし、第２角度調整部１９の角度θ２を７０°とした場合の扇風機１０の側面図であり、第１ハウジング部１４を回転させた場合の様子を図６（ａ）（ｂ）（ｃ）に示している。
【００４５】
図６の例では、図５の状態から第２角度調整部１９の角度θ２をさらに２０°大きくした７０°に設定することにより、図５よりもさらに上方側、すなわち、天井に向けて広い範囲で風を送ることが出来る。
【００４６】
以上のように、ハウジング用回転軸部１６ａに対してファン用回転軸部２０ａを様々な角度に傾斜させた状態で第１ハウジング部１４が３６０°回転させることができるため、ファン部１２からの送風領域を広げることが出来る。また、扇風機１０によれば、第１角度調整部３４と第２角度調整部１９の２段階の調整機構を有しているため、天井面から床面まで多様な範囲に送風するように設定することが出来る。
【符号の説明】
【００４７】
１０  扇風機、１２  ファン部、１４  第１ハウジング部、１４ａ  凸部、１６  第１モータ部、１６ａ  ハウジング用回転軸部、１７  凹部、１８  カバー部、１９  第２角度調整部、２０  第２モータ部、２０ａ  ファン用回転軸部、２２  第２ハウジング部、２３  傾斜部、２４  支柱軸部、２６  台座部、３０  案内長孔部、３２  嵌合孔、３３  案内部、３４  第１角度調整部、３５  突起部、３７  スライド部。
【要約】
【課題】可動領域の広い扇風機を提供することである。
【解決手段】扇風機１０は、回転することで風を正面側に送り出すファン部１２と、ファン部１２の背面側に設けられ、ファン部１２のファン用回転軸部２０ａに連結される第１モータ部２０を収納する第１ハウジング部１４と、第１ハウジング部１４の背面側の凸部１４ａが嵌合される凹部１７を有し、第１ハウジング部１４を回転させるためのハウジング用回転軸部１６ａに連結される第２モータ部１６を収納する第２ハウジング部２２と、凹部１７に対する凸部１４ａの位置を変更可能な機構を有し、ファン用回転軸部２０ａとハウジング用回転軸部１６とがなす角度が１８０±α°の範囲内で可動するように角度を調整可能な第１角度調整部３４と、を備えることを特徴とする。
【選択図】図１【図１】
0006655217.tif 000002
【図２】
0006655217.tif 000003
【図３】
0006655217.tif 000004
【図４】
0006655217.tif 000005
【図５】
0006655217.tif 000006
【図６】
0006655217.tif 000007